(57)【要約】多種の規格による複数のデジタルデータを、誰でも簡単に閲覧できるように記憶媒体に保存するシステムを提供する。第１のコンテントを少なくとも２つの独立したコンピュータデータファイルの形式で受け取ることによって、コンテントをアーカイブする。上記受け取った第１のコンテントから第２のコンテントを１つのデータファイルの形式で生成する。上記受け取った第１のコンテントの少なくとも２つの独立したコンピュータファイルおよび上記生成した第２のコンテントの上記１つのデータファイルを単一の取外し可能な記憶媒体に格納する。
2004531119.tif 000002
【特許請求の範囲】
【請求項１】
コンテントをアーカイブする方法であって、
第１のコンテントを少なくとも２つの独立したデータファイルの形式で受け取るステップと、
前記受け取った第１のコンテントから第２のコンテントを１つのデータファイルの形式で生成するステップと、
前記受け取った第１のコンテントの少なくとも２つの独立したデータファイル、および前記生成した第２のコンテントの前記１つのデータファイルを単一の取外し可能な記憶媒体に格納するステップと
を有する方法。
【請求項２】
前記第１のコンテントを受け取るステップは、前記第１のコンテントをＪＰＥＧ規格に準拠した少なくとも２つの独立したデータファイルの形式で受け取るステップをさらに有し、
前記第２のコンテントを生成するステップは、前記第２のコンテントをＭＰＥＧ−１規格に準拠した１つのデータファイルの形式で生成するステップをさらに有し、
前記格納するステップは、単一の取外し可能な記憶媒体にＶＣＤ規格に準拠した形式で格納するステップをさらに有する請求項１に記載の方法。
【請求項３】
前記受け取った第１のコンテントと前記生成した第２のコンテントとの間にリンケージを作成するステップと、前記リンケージを前記単一の取外し可能な記憶媒体に格納するステップとをさらに有する請求項１に記載の方法。
【請求項４】
前記リンケージを作成するステップは、前記少なくとも２つの独立したデータファイルの各々に固有の識別子を決定するステップと、前記固有のファイル識別子を前記第２のコンテントの前記少なくとも１つのデータファイルに埋め込むステップとをさらに含む請求項３に記載の方法。
【請求項５】
取外し可能な記憶媒体からコンテントを読み出し、人間が知覚できる形式で提示する方法であって、
第１の規格に準拠した単一のデータファイルの形式で単一の取外し可能な記憶媒体に格納された、第１のコンテントを読み出すステップと、
前記単一のデータファイルから第２のコンテントへのリンケージを決定するステップと、
前記リンケージの決定に応じて、第２の規格に準拠した少なくとも１つのデータファイルの形式で前記単一の取外し可能な記憶媒体に格納された、前記第２のコンテントを読み出すステップと、
前記第２のコンテントの前記少なくとも１つのデータファイルを人間が知覚できる形式で提示するステップと
を有する方法。
【請求項６】
前記リンケージを決定するステップは、
前記少なくとも１つのデータファイルのうちの１つの固有のファイル識別子を読み出すステップと、
前記単一の取外し可能な記憶媒体に前記固有のファイル識別子で格納された、前記第２のコンテントの少なくとも一部を読み出すステップと、
をさらに有する請求項５に記載の方法。
【請求項７】
前記提示するステップは、前記第２のコンテントの前記少なくとも１つのデータファイルを印刷するステップをさらに有する請求項５に記載の方法。
【請求項８】
共有可能なマルチメディアアーカイブを作成する装置であって、
少なくとも２つの独立したデータファイルの形式で画像コンテントを入力する静止画プロセッサと、
前記少なくとも２つの独立したデータファイルから、単一のデータファイルの形式でビデオコンテントを生成するデジタルプロセッサと、
前記少なくとも２つの独立したデータファイルおよび前記単一のデータファイルを、単一の取外し可能な記憶媒体に格納するデータレコーダと、
前記単一のデータファイルから前記画像コンテントを参照するリンケージ生成器と
を有する装置。
【請求項９】
ＪＰＥＧ変換器をさらに有し、
該ＪＰＥＧ変換器は、前記画像コンテントの少なくとも２つの独立したデータファイルがＪＰＥＧ規格に準拠しない場合、該少なくとも２つの独立したデータファイルを、ＪＰＥＧ規格に準拠する少なくとも２つの独立したデータファイルに変換する、
請求項８に記載の装置。
【請求項１０】
前記デジタルプロセッサは、前記単一のデータファイルをＭＰＥＧ−１規格に準拠するように生成するビデオコンテント生成器をさらに有し、
前記データレコーダは、ＶＣＤ規格に準拠した単一の取外し可能な記憶媒体を作成するディスク画像生成器をさらに有する請求項９に記載の装置。
【請求項１１】
コンテントをアーカイブする装置であって、
第１のコンテントを少なくとも２つの独立したデータファイルの形式で受け取る手段と、
前記受け取った第１のコンテントから第２のコンテントを１つのデータファイルの形式で生成する手段と、
前記受け取った第１のコンテントと前記生成した第２のコンテントとの間にリンケージを作成する手段と、
前記受け取った第１のコンテントの少なくとも２つの独立したデータファイル、前記生成した第２のコンテントの前記１つのデータファイル、および前記作成したリンケージを単一の取外し可能な記憶媒体に格納する手段と
を有する装置。
【請求項１２】
前記リンケージを作成する手段は、前記少なくとも２つの独立したデータファイルの各々に固有の識別子を決定する手段と、前記固有のファイル識別子を前記第２のコンテントの前記１つのデータファイルに埋め込む手段とをさらに有する請求項１１に記載の装置。
【請求項１３】
前記第１のコンテントを受け取る手段は、前記第１のコンテントをＪＰＥＧ規格に準拠した少なくとも２つの独立したデータファイルの形式で受け取る手段をさらに有し、
前記第２のコンテントを生成する手段は、前記第２のコンテントをＭＰＥＧ−１規格に準拠した１つのデータファイルの形式で生成する手段をさらに有し、
前記格納する手段は、単一の取外し可能な記憶媒体にＶＣＤ規格に準拠した形式で格納する手段をさらに有する請求項１１に記載の装置。
【請求項１４】
取外し可能な記憶媒体からのコンテントを読み出し、人間が知覚できる形式で提示する装置であって、
第１の規格に準拠した単一のデータファイルの形式で単一の取外し可能な記憶媒体に格納された、第１のコンテントを読み出す手段と、
前記単一のデータファイルから第２のコンテントへのリンケージを決定する手段と、
前記リンケージを決定する手段の出力に応じて、第２の規格に準拠した少なくとも１つのデータファイルの形式で前記単一の取外し可能な記憶媒体に格納された、前記第２のコンテントを読み出す手段と、
前記第２のコンテントの前記少なくとも１つのデータファイルを人間が知覚できる形式で提示する手段と
を有する装置。
【請求項１５】
前記リンケージを決定する手段は、
前記少なくとも１つのデータファイルのうちの１つの固有のファイル識別子を読み出す手段と、
前記単一の取外し可能な記憶媒体に前記固有のファイル識別子で格納された、前記第２のコンテントの少なくとも一部を読み出す手段と
をさらに有する請求項１４に記載の装置。
【発明の詳細な説明】
【技術分野】
【０００１】
本発明は、概してマルチメディアデータのアーカイブ（archiving）および共有（sharing）に関し、特にマルチフォーマットのコンテントを単一の取外し可能な記憶媒体に記録し、当該記憶媒体と相関させ、当該記憶媒体から再生することを可能にする方法および装置に関する。
【背景技術】
【０００２】
技術に最も疎い消費者でも、音楽の保存に関してはアナログメディアからデジタルメディアへの切り換えの影響を受け、おそらくは切り換えたことだろう。ビニールレコードおよびカセットテープに対する音楽用コンパクトディスク（ＣＤ）の相対的な売上高は、消費者がデジタル録音音声を好んでいることを明白に示している。熱烈な愛好家はビニールレコードおよびカセットテープを強く擁護するかもしれないが、デジタル録音物の永久性、耐久性、容量、および技術的性能が市場を捕らえた。録音された音声コンテントを再生するために必要なオーディオコンポーネントであるコンパクトディスクプレーヤは今や広く普及しており、安価である。
【０００３】
ビデオコンテントの再生でも同様の革命が起こりつつあるようである。ビデオコンテント、動画等のデジタル記憶は、一般に認められたアナログビデオテープ規格からデジタル記憶規格へ移行しつつある。通常、このデジタル記憶はＣＤ媒体上に行われるが、最高品質の消費者向けビデオ録画はデジタルビデオテープ媒体を用いて行われている。現時点で、複数のデジタルビデオ規格が存在するが、最も広く一般に認められた規格は、ＤＶＤ規格（Digital Versatile Disk, デジタル多用途ディスク、当てはまる仕様のリストをwww.licensing.philips.com/dvdsystems/dvdspecs.htmlで見ることができる）およびビデオＣＤ（ＶＣＤ）規格（一般に「ホワイトブック（White Book）」と呼ばれ、ビデオＣＤ仕様バージョン２．０（Video CD Specification Version 2.0）（Philips Consumer Electronics B.V., April 1995）と題する）ならびにこれらの規格の変形および更新版（例えばスーパービデオＣＤ）に分類することができる。高解像度のＤＶＤ規格のＣＤ用プレーヤは、ＶＣＤ規格のＣＤを再生するように容易に設計することができる（ＤＶＤが用いるＭＰＥＧ−２規格のデータ圧縮はＶＣＤが用いるＭＰＥＧ−１規格のデータ圧縮も包含するため）が、その逆は容易には達成できないため、経済的理由から行われない。JVC、Philips、ソニー、および松下は、ＤＶＤが開発されるずっと前の１９９３年にＶＣＤを発表した。ＶＣＤは、（ＭＰＥＧ−１規格に適合した）７４分のＶＨＳ品質の音声およびビデオを容易に入手可能なＣＤ媒体上でサポートする。ビデオＣＤが米国で受け入れられることはなかった。これは、広く設置されたＶＨＳビデオカセットレコーダの基盤があったため、そして圧倒的な技術的品質の向上がなかったためである。しかしながら、ＤＶＤ規格は明らかにこの抵抗を克服しつつある。これは、音声およびビデオ品質の著しい向上、著しい本数の映画が入手可能であること、そしてマルチカメラアングル等の新しい機能性によるものである。それでもなお、ビデオＣＤは、ＶＣＤの映画やプレーヤが米国におけるＶＨＳテープおよびプレーヤと同じくらい一般的であるアジア市場を独占している。アジア市場がＶＣＤを支持することから（そしてそれは、ＤＶＤがＶＣＤのＭＰＥＧ−１技術の上位集合であるＭＰＥＧ−２の圧縮技術を使用するために追加が比較的単純で安価な特徴であることから）、米国市場および世界市場で市販されているＤＶＤプレーヤのほとんどはＤＶＤだけでなくＶＣＤもサポートしている。ＶＣＤ規格のＣＤは現在、ＤＶＤ規格のＣＤよりも製造がより容易で低価格であることも無視すべきでない。
【０００４】
量販市場向けの静止画写真撮影は、デジタル時代の入口にある。もちろん、専門家向けの写真撮影ではかねてからデジタル記憶装置および画像画質向上機能が用いられてきたが、消費者向けのデジタル画像キャプチャ機能およびデジタル記憶装置は比較的新しく開発されたものである。消費者向けのデジタルカメラは市場で普及してきており、消費者によるカメラの購入台数は急速に増加し始めている。デジタルカメラが従来の銀塩の化学処理を基にしたフィルムカメラに取って代わるであろうことが予想されている。デジタルカメラは通常、撮影した画像を、様々なデジタル記憶媒体のうちカメラの製造業者によって選択されるメディア上のコンピュータファイルに格納し、その後ユーザが、格納した画像をコンピュータ、プリンタ、または他の外部デバイスにダウンロードして、人間が知覚できる形式に変換する。多くの場合に、銀塩プリントはデジタル化され、あるいは元のデジタルカメラ画像は再び、ＣＤに格納される。これは、コンピュータのＣＤ−ＲＯＭ記憶技術に基づく専門的な、コダック社独自の技術である「フォトＣＤ」、あるいはより一般的なＪＰＥＧ規格を用いた「ピクチャーＣＤ」といった静止画仕様を用いて行われる。ピクチャーＣＤ規格を用いてＣＤに格納される静止画は、コンピュータによって読み取り可能であるが、一般的には従来のＶＣＤプレーヤや従来のＤＶＤプレーヤでは読み取ることができないことは明らかである。
【０００５】
消費者は、デジタルフォーマットの動画やデジタルフォーマットの音楽のコンテントを楽しむためにコンピュータ技術に慣れ親しむ必要はない。デジタルで記録された動画およびデジタルで記録された音楽は、コンピュータを利用することなくアクセスして楽しむことができる。同様に、今日の消費者は、フィルムカメラやビデオカムコーダ（camcorder）（さらにはデジタルビデオカムコーダ）を購入し、コンピュータの知識なしに満足に使用することができる。フィルムは任意数の写真現像業者（photo processors）によって現像および印刷され、カムコーダはいつでもＴＶにつないで家族のビデオを閲覧することができる。
【０００６】
これらの慣れ親しまれた技術とは対照的に、デジタルスチルカメラの購入者には、コンピュータ（または適切に備え付けられたコンピュータのプリンタ）へのアクセス、その相当な使用経験（デジタルカメラのソフトウェアのインストールおよび更新は決して易しいことではない）、および許容可能品質のハードコピープリントを生成するためにキーボードの前で費やす使用可能な時間がなければならない。消費者向け写真撮影業界は、デジタル写真を受け入れて印刷するデジタルカメラ用キオスクを小売店に設けることによって、この問題に対処しようとしている。残念ながら、この解決策は、現在の銀塩フィルムの現像プロセスと同等の方法で埋め合わせているにすぎない。さらに消費者は、デジタル技術によって可能となった多くの方法で自分のデジタル写真にアクセスする、あるいはそれらを共有するために、依然としてコンピュータに頼らなければならない。
【発明の開示】
【発明が解決しようとする課題】
【０００７】
概観すると、音声、ビデオ、および静止画のデジタル記録には複数の規格が利用可能であり、デジタル記録物をＣＤ等の取外し可能な記憶媒体に入れるのには複数の規格が存在する。これらの操作を単純に行う方法を提供することが求められている。より重要なこととして、ハイテクに強くない人が、音声、ビデオ、および静止画を製作が容易である取外し可能な記憶媒体に集めて統合し、それからその製作物を、一般に市販されている消費者向け電子プレーヤを有する別のハイテクに強くない人と共有できるような方法が求められている。
【課題を解決するための手段】
【０００８】
第１のコンテントを少なくとも２つの独立したコンピュータデータファイルの形式で受け取ることによって、コンテントをアーカイブする。上記受け取った第１のコンテントから第２のコンテントを１つのデータファイルの形式で生成する。上記受け取った第１のコンテントの少なくとも２つの独立したコンピュータファイルおよび上記生成した第２のコンテントの上記１つのデータファイルを単一の取外し可能な記憶媒体に格納する。
【発明を実施するための最良の形態】
【０００９】
本発明は、個人的なコンテントを取外し可能な記憶媒体へ、今日のホームエンタテイメントセンター（ＤＶＤおよびＶＣＤプレーヤ）、パーソナルコンピュータのハードウェア（ＣＤ−ＲＯＭおよびＤＶＤ−ＲＯＭドライブ）およびデジタル画像処理用の様々なアプリケーションソフトウェア（例えば、マイクロソフト社から市販されているPictureIt!（商標）といったアプリケーション）、ならびに選択された画像処理機器（例えば、コダック社のPictureMaker（商標）キオスク）と互換性のあるフォーマットで格納することを包含する。フォーマットは、これらの異なるデータフォーマットをリンクさせ、関心のある特定の画像上でマルチメディアスライドショーを一時停止させて、異なるフォーマットで格納されたデータから、対応する高解像度の画像を印刷するといったユーザのシナリオを可能にするような付加的なデータを含む。
【００１０】
本明細書中で使用する場合、「フォーマット」という用語は、項目（item）の全体的な構成すなわち計画を意味し、「規格（standard）」という用語は、多くの場合に非常に詳細な、項目の物理的および論理的特徴の仕様のセットを意味する。また、「取外し可能な記憶媒体」という用語は、好ましい実施形態ではコンパクトディスク（ＣＤ）を意味するが、より一般的には、人間が容易に持ち運ぶことができ、主に（産業用や軍事用ではなく）消費者用に作られた他のタイプの機械読取可能な大量のデータおよび情報の記憶媒体を含む。
【００１１】
デジタルスチルカメラは、機能性、画質、使い易さ、および値ごろ感の点において驚くべき速さで改善されている。これらは現在、他の態様のデジタル画像形成システムの機能および有用性を上回っている。現在HPのＰｈｏｔｏＳｍａｒｔ９１２カメラは、２．２４メガピクセルの静止画を撮像し、音声による注釈を付加することができる。フジのＦｉｎｅｐｉｘ４０ｉカメラは、２．４メガピクセルの静止画、および８０秒のＱＶＧＡ（quarter-VGA）ビデオファイルを音とともに撮影し（テレビ画面上で見ると確実に人目を引く）、ＭＰ３（Motion Picture Experts Group 1, Layer 3 Audio）プレーヤを内蔵している。安価なデジタルカメラであるAiptekのＰｅｎＣａｍは、７５枚の小さな写真または１０秒の短いビデオクリップを撮影することができる。消費者はすぐに、使い易く、シャツのポケットに収まり、大量の高品質の写真ならびにテレビ放送（broadcast television）品質のビデオおよび音声を撮像することが可能な手頃な価格のデジタルカメラの多くの選択肢を持つことになるだろう。これらの個人的メディアのアーカイブ、閲覧、および共有をサポートする使い易い製品に対する消費者の強い要望があることはほぼ確実である。今日のデジタルカメラは、内蔵メモリまたは取外し可能なメモリのいずれかを用いる。安価なカメラは通常、数メガバイトの内蔵メモリを提供し、より高価なカメラは、コンパクトフラッシュ、スマートメディア、メモリースティック、または同様の大容量メモリモジュール用のスロットを有する。しかしながら、取外し可能なカメラメモリは高価である。このカメラメモリの高コストのために、ほとんどのデジタルカメラユーザは限られた量を所有して頻繁に再利用する。通常のユーザの行動は、ラップトップコンピュータを携行してカメラの写真を頻繁にオフロード（offload）するものである。この余分なハードウェアと操作は、フィルムカメラの使用からデジタルカメラの使用に変えたいと願う消費者にとって障壁である。それにもかかわらず、今日のデジタルカメラおよびコンピュータの愛好家は、写真をオフロードするためにカメラをパーソナルコンピュータに頻繁に接続しなければならないことに対処することができる。しかしながら、従来のフィルムカメラからデジタルカメラに乗り換えることを検討しているコンピュータの非所有者は、今日のフィルムの対応策と同様の解決策を必要とする。小売業者の写真現像サービスに頼っている撮影者は、次にフォトカウンタを訪れるまで持続する、デジタルカメラの十分なメモリの余裕を持つことができなければならない。
【００１２】
消費者は、自分の写真をテレビ（ＴＶ）で閲覧することには慣れていないが、カムコーダで撮ったホームビデオをＴＶで閲覧することには十分慣れている。消費者は、ビデオ動画コンテントを再生するためにＤＶＤを使用することに慣れてきている。今日米国市場および世界市場において市販されているＤＶＤプレーヤの多くは、ビデオＣＤ（ＶＣＤ、ホワイトブックによって仕様が定められている）と呼ばれる代替的なフォーマットをサポートしている。このビデオ規格間での再生は、ある種の場合に大きな利点となり得るが、消費者のもっと大きな期待に対しては部分的な解決策を与えるに過ぎない。今日のエンタテイメントセンターは、専門的なエンタテイメントメディア（例えばＴＶ番組、映画、および音楽）へのアクセスを提供するように設計されている。非専門的な（家庭の）ユーザは、これと同様の方法で家庭の画像（写真およびビデオ）と対話したいと願っている。
【００１３】
印刷は、ホームエンタテイメントセンターの中で最小限のサポートおよび導入しかなされていない。実在する印刷サポートは、例えばウェブＴＶ等のサービスからのウェブページの印刷や、インタラクティブＴＶに関連する印刷用素材（料理番組に付随するレシピ等）の印刷のようなユーザタスク用に設計されている。本発明は、エンタテイメントセンターでの印刷に対する少なくとも２つの新たな要件を生み出す。これらの要件はいずれも、以前には対処されていなかったものである。第１の要件は、ローカルな（すなわちローカルなＣＤまたはＤＶＤに格納された）コンテントの印刷であり、第２の要件は、閲覧中の画像から対応する高解像度データへのリンク付け（linking）すなわち相互参照（cross-referencing）である。代替的な実施形態が考えられ、付加的な実施形態も可能である。第１の実施形態は、アナログビデオ信号からの直接印刷、閲覧／印刷機器の使用、あるいは適切に備え付けられたＤＶＤプレーヤからのＩＥＥＥ１３９４ベースの印刷の使用を含む。
【００１４】
テレビ画面は、低解像度画像では驚くほど良好な結果を生じる。ＶＧＡ解像度画像（６４０×４８０、約１／４メガピクセルのコンピュータ画像）は、テレビ画面上で非常によく映る。更に、今日のマルチメディアデジタルカメラに一般的なＱＶＧＡビデオ（３２０×２４０）もＴＶ上で楽しむことができる。この結果、テレビでの閲覧用に最適化されたカメラは、非常に低解像度で安価であり得ることが示される。以上をふまえ、安価なＶＧＡデジタルカメラを用いて魅力的なマルチメディアスライドショーを作成できるといえる。
【００１５】
ほぼ全ての写真現像業者は、写真を走査して、互換性のあるアプリケーションプログラムを用いてコンピュータが読み取り可能なコンピュータデータファイルとしてＣＤ−ＲＯＭディスクに格納する、別料金のサービスを提供する。この概念は市場によって十分に理解されているが、消費者には未だ広くは採り入れられていない。作成されるＣＤ−ＲＯＭディスクが、主にコンピュータを用いるデジタル愛好家にとってのみ有用であることが現状の問題である。しかしながら、写真現像業者からのこのサービスの利用可能性は発展中の技術であると思われ、必要なＣＤを作成する生産プロセスは整っている。さらに、デジタル音楽の影響もあって、ＣＤの読み出しだけでなく書き込みも可能なＣＤ−ＲＷドライブが、消費者向けパーソナルコンピュータに広く利用可能になっている。コンピュータ愛好家には、素材を特別に集めてＣＤに「焼き付けた」音楽ＣＤを作成することがより一層一般的となっている。この手法は、ＣＤライタと安価なＣＤメディアの利用度を推進させ、エンタテイメントセンターで再生されるメディアをコンピュータを用いて作成するという消費者の手法を確立しつつある。
【００１６】
手頃な価格でかつ今日のＤＶＤプレーヤと広く互換性のあるディスクを作成する技術は今日の市場にはない。ＣＤ−Ｒメディアは非常に手頃な価格であるが、現在のＤＶＤプレーヤではある種のモデルとしか互換性がない。今日のＤＶＤプレーヤの約４分の１がＣＤ−Ｒメディアを確実に再生するであろうことを、経験的検証は示しているが、家庭で焼き付けた音楽ＣＤをサポートするために互換性は向上しつつあるようである。今日では、ＤＶＤプレーヤと良好な互換性のあるＤＶＤ−Ｒライタおよびメディアが市販されている。しかしながら、この技術は高価である（おそらくＣＤ−Ｒディスクの３０倍高価である）。ＤＶＤ＋ＲＷライタおよびメディアは容易には入手可能でないが、将来的には良好な互換性を得てより低い価格で提供されるであろうことが示唆されている。この問題に対する最も有望な解決策は、ＣＤ−ＲおよびＣＤ−ＲＷメディアの両方（ならびに読み出し専用ＣＤ）をサポートするＤＶＤプレーヤを認定する「マルチプレイ（MultiPlay）」互換プログラムを作成しようというＯＳＴＡ（Optical Storage Technology Association、ＣＤおよびＤＶＤ業界の規格団体）の新たな努力である。これらの認定プレーヤが導入されれば、ＣＤ−ＲディスクおよびＣＤ−ＲＷディスクは、マルチプレイ認定を受けたどのＤＶＤプレーヤとも互換性を持つことになる。
【００１７】
本発明が有用である環境の略図を図１Ａおよび図１Ｂの図に示す。いくつかのコンテントソースからコンテントを収集し、それらを単一の取外し可能な記憶媒体に記録し、かつ、広く入手可能な消費者向け再生デバイスを用いてコンテントを最適条件で復元したい。４つのコンテントソースを示すが、必ずしもこれらに限定されるものではない。静止画ソース１０１が静止画プロセッサ１０３に連結され、さらなる使用の前に画像パラメータ（鮮鋭度、コントラスト、色等）の補正、また時としてデータ圧縮が行われる。（静止画ソースは、画像のデジタル表現を高解像度データファイル、例えばＴＩＦＦ（Tagged Image File Format）またはＪＰＥＧ（Joint Photographic Experts Group）ファイルで提供することが考えられる。アナログ静止画（例えば銀塩フィルムの写真またはスライド）を走査してデジタル表現に変換することもできる）。デジタルビデオコンテントソース１０５は、ビデオプロセッサ１０７に連結され、画像補正およびデータ圧縮が行われる。（アナログビデオはまず最初にデジタル変換を行わなければならない）。音声ソース１０９は音声コンテントを提供し、この音声コンテントは、（たいていの場合がそうであるように）ビデオソース１０５に関連付けられ得る、または（デジタルスチルカメラ、および静止画カメラによって作成されることの多いショートビデオクリップでますます一般的になりつつあるように）静止画ソース１０１に関連付けられ得るか、あるいは独立した音声情報を提供する。音声入力は、他のコンテントプロバイダに直接関連付けられない場合、音声プロセッサ１１１に連結され、さらなる使用に供される前にデジタルサンプリング（必要な場合）、音量レベル調整、音質調整、誤り補正、および圧縮が行われる。他のタイプの情報、例えばテキストおよびグラフィック画像は、コンテントソース１１３、例えばパーソナルコンピュータから受け入れられて、データプロセッサ１１５に連結される。
【００１８】
好ましい実施形態において、静止画プロセッサ１０３は、画像処理アプリケーションプログラム、例えばAdobeのＰｈｏｔｏｓｈｏｐ（商標）６．０、Sierra ImagingのＩｍａｇｅ  Ｅｘｐｅｒｔ（商標）２０００、あるいはArcSoftのＰｈｏｔｏｓｔｕｄｉｏ（商標）２０００であり、これらはそれぞれ、様々なフォーマットのコンテントからＪＰＥＧまたはＴＩＦＦ規格に適合した画像ファイルの出力を行うことができる。ビデオプロセッサ１０７は、ビデオシーケンスの編集を提供する動画ビデオ処理アプリケーションプログラム、例えばUleadのＶｉｄｅｏ  Ｓｔｕｄｉｏ（商標）４．０、MGIのＶｉｄｅｏＷａｖｅ（商標）４．０、AdobeのＰｒｅｍｉｅｒ５．０、あるいはAdaptecのＣＤ  Ｃｒｅａｔｏｒ（商標）４．０  Ｄｅｌｕｘｅである。上記ビデオアプリケーションプログラムのほとんどは、ビデオ入力とともに関連する音声入力を受け入れ、単体であるいはアダプタを用いてビデオ出力をＭＰＥＧ（Motion Picture Experts Group）規格のフォーマットで生成する。音声プロセッサ１１１は、所望の音声を得るために利用可能な多くの「リッピング（ripping）」ツールから選択することができ、例えばＭｕｓｉｃ−Ｍａｔｃｈ  Ｊｕｋｅｂｏｘは、ＭＰ３の出力音声ファイルを提供し、Ｗｉｎｄｏｗｓ  Ｓｏｕｎｄ  Ｒｅｃｏｒｄｅｒは出力をＷＡＶファイルで提供し、このＷＡＶファイルは後にＭＰ３に変換することができる。データプロセッサ１１５は実質的にファイル作成用のいずれのアプリケーションプログラムであってもよいが、好ましい実施形態では、他のコンテントファイルの記述データ（例えばタイトル、時間情報、または背景情報）であるメタデータを作成するアプリケーションプログラムが特に有用である。
【００１９】
デジタルプロセッサ１１７は、図２の機能プロセス図に示すプロセスを行う。このプロセスは、コンテントソースから作成された入力セットを取り込み、ユーザ／作者との対話セッションにおいて、ＣＤ１２１への記録（マスタリング）１１９に適した出力を生じるために必要な全ての変換（コンテントデータを現在のフォーマットで取り込み、これを適切な出力規格と互換性があるようにすることを保証する）データを生成するものである。好ましい実施形態において、計画ステージ２０３は、ＶＣＤプランナ（planner）２０５と、ＰＣ／ウェブプランナ２０７と、アーカイブプランナ２０９とを含む。これらのプランナは、いくつかのユーザ再生体験（playback experience）、例えば関連規格に従ったＰＣ／ウェブ表示／閲覧、ＶＣＤ閲覧、ＶＣＤ動画、およびコンテントアーカイブの各々の作成レシピ（recipes for the creation）を生成する。この作成レシピは、順序、画像の表示時間、タイトル画面、音声トラックの仕様、画像の向き等についてのストーリーボードの指示を含む。計画ステージ２０３からの出力は次に、その内容とフォーマットによってＶＣＤ動画生成器２１３、ＶＣＤ閲覧生成器２１５、ＰＣ／ウェブ表示／閲覧体験生成器２１７、およびコンテントアーカイブ生成器２１９に分けられる。作者が制御または生成した計画ステージ２０３への入力には、基本的に３つのタイプ、すなわちコンテント、ストーリーボード、および設定情報がある。コンテント入力は、静止画、音声トラック、およびビデオクリップといった実際のメディア資産である。ストーリーボードは、作るべき所望のユーザ体験の論理的記述、例えば画像の順序、各画像の表示時間、およびスライドショーのタイトルといった写真スライドショーのパラメータである。設定情報は、この計画ステージの呼び出しに特有の設定およびコマンドをすべて含む。計画ステージに制御を渡すロジックは、これらの入力を作成すること、および入力の場所を計画ステージに渡すことを担当する。計画ステージ２０３は、ストーリーボードおよび設定情報から、何のタスクが要求されているかについて解釈し、後続のタスクについて詳細なワークフローを生成する。コンテントアーカイブ生成器２１９は、アーカイブを目的とする全ての資産を記録媒体上のファイルシステム中の場所にマッピングすることを担当する。ＶＣＤ動画生成器２１３は、設定ファイルとともに時系列に割り付けられる一連のコンテント（１つまたは複数のマルチメディア資産）を取り込んで、そこからＭＰＥＧ−１の出力ビデオストリームファイルを生成する。ＶＣＤ閲覧生成器２１５は、ＶＣＤ閲覧体験に必要なコンテントをすべて作成することを担当する。このＶＣＤ閲覧コンテントは次のもの、すなわちＭＰＥＧ−１ビデオストリームファイルとして符号化されるサムネイルのコンタクトシートおよび複数のＭＰＥＧ−１ビデオストリームファイルとして符号化される複数のＴＶ解像度画像を含む。ＶＣＤ閲覧生成器２１５は、サムネイルがない場合に画像処理ユーティリティ（例えばAdobeのＰｈｏｔｏｓｈｏｐ（商標））を呼び出すことによってサムネイルを生成し、サムネイルを画面に割り付け、サムネイルおよび画像処理したテキストを用いて画面をレイアウトし、１つま��は複数のコンタクトシートを生成する。コンタクトシートの生成は、画像処理ユーティリティ中の画像混合ツールを呼び出し、次にＭＰＥＧ−１ビデオストリームフォーマットに変換することによって行う。ＰＣ／ウェブ表示／閲覧生成器２１７は、ストーリーボードおよびプランナが生成した作り方を用いてＰＣ環境でのユーザ体験を管理するために必要なコンテントおよび記述資産を作成することを担当する。これは、ユーザが所望する出力の表示、閲覧、および印刷を作り出すことを含む。表示コンテントは、実行可能なプログラムおよびメディアコンテントであり、パーソナルコンピュータ上で呼び出されるとメディアコンテントを連続的なプレゼンテーションで表示する。ＶＣＤ閲覧生成器によって生成されるコンテントによく似た閲覧コンテントは、ＰＣでの閲覧体験に必要な画像のサムネイル、ＰＣ解像度画像等を含む。ＶＣＤ動画生成器２１３は、ＪＰＥＧ静止画またはＭＰＥＧビデオクリップである場合があるコンテントの、ＭＰＥＧ−１規格のビデオストリームへの再フォーマット（サイズ、色域、アスペクト比等といったパラメータの設定を含む）を行う。代替的な実施形態において、かかる再フォーマットは、ビデオプロセッサにおいて行われる。
【００２０】
ビデオＣＤ生成器２２１は、動画生成器２１３およびＶＣＤ閲覧生成器２１５からの入力を受け入れて制御ファイルを生み出す。（例えばＤＶＤプレーヤでの）ＶＣＤの再生に必要なファイルはすべてビデオＣＤ生成器によって、ホワイトブック規格に準拠して生成されねばならない。
【００２１】
ＩＳＯレイアウト生成器２２５は、３つの生成器、すなわちウェブ／ＰＣ生成器２１７、コンテントアーカイブ生成器２１９、およびビデオＣＤ生成器２２１からのレイアウトを受け取り、ディスクそのものが作成される前に最終的なディスクのプレ画像（pre-image）を作成する。このディスクのプレ画像は、メモリの保存のためにファイル参照によって行われ、基本的には、マスタリング（記録）段階で使用されることを意図した「パッキングリスト（packing list：内容一覧表）」である。このパッキングリストは、そのレベルでひとまとめにする必要があるＩＳＯ９６６０ファイルシステムの論理レイアウトおよび当該レイアウトの側面に関するブロックデバイスのマッピング情報をすべて含む。この主な例は、ファイルシステムに基づくものでないアクセス方法に代わって特定のトラックの場所に固定する必要があるいくつかのビデオＣＤファイルである。
【００２２】
したがって、デジタルプロセッサ１１７からの出力は、ＣＤ−ＲＯＭ（ＸＡ）規格およびビデオＣＤ（ホワイトブック）規格に準拠したフォルダ（サブディレクトリ）に作成され、また好ましい実施形態において、「写真」フォルダ（ピクチャーＣＤ仕様に適合したファイルを含む）、「ビデオ」フォルダ（ＭＰＥＧ−１規格に適合したファイルを含む）、「音声」フォルダ（ＷＡＶ規格に適合したファイルを含む）、および任意で「その他」フォルダ（その他のＩＳＯ９６６０に適合したファイルを含む）を含む。ＣＤのマスタリング（記録）機能１１９は、デジタルプロセッサ１１７から上記ディスクのプレ画像情報を取り込んで書き込み可能なＣＤディスク１２１に記録を作成する、すなわち「焼き付ける」従来のハードウェアおよびソフトウェアを使用する。図１Ａに示すプロセスは、選択されたアプリケーションプログラムの固有の機能に応じて、各ブロックに見られる重複する機能を有することができることに留意すべきである。
【００２３】
ある規格で存在するコンテントの、別の規格で存在する関連コンテントへのリンクは、好ましい実施形態において、ファイル名の調整によって実現される。例えば、動画生成器２１３は、ＪＰＥＧ規格に適合した静止画を受け取り、プランナ２０３に対するストーリーボードおよび設定情報の入力に従い、静止画を処理してＭＰＥＧ−１規格に適合した連続的なビデオの画像にする。各ＭＰＥＧ−１ビデオ画像の一部は、好ましい実施形態において、関連する元の静止画のＪＰＥＧファイルのＡＳＣＩＩで書かれたファイル名を用いて符号化される。代替的な実施形態では、他のファイル識別方法を用いることもでき、この方法には例えば、単に高解像度ファイルの名前を画像中に、ビデオ中に提示されるものとして提供する（よって後の閲覧者に、ファイル名を後のアクセスために手動でコピーする機会を与える）こと、ファイル名を他のあまり使用されないビデオ部分に格納すること、ファイル名を画像中にステガノグラフィ（steganography、隠し文書）で組み込むこと、あるいはＭＰＥＧビデオの再生時間値のフレーム番号（MPEG video frame number of play time value）を用いて現在表示されている画像を元の高解像度のＪＰＥＧバージョンの画像に関連付けることがある。コンテントアーカイブ生成器２１９もまた、高解像度のＪＰＥＧ静止画に対して作用し、各画像を「写真」という名前のフォルダに、連続したファイル名ＩＭＧ０００１．ｊｐｇ、ＩＭＧ０００２．ｊｐｇ等で入れ、それによって低解像度のビデオ画像（上述の方法によって符号化される同一の画像識別子または名前を有する）を同一名の高解像度の画像データファイルとリンクさせることを容易にする。音声ファイルおよび他のデータファイルについても同様のリンケージが形成される。
【００２４】
本発明の好ましい実施形態の、例えばスライドショーを作成するプロセスを図３のフローチャートに示す。静止画を入力し（３０１）、画像処理と、その静止画が既にＪＰＥＧ規格に適合したものでない場合にＪＰＥＧに適合したファイルフォーマットへの変換とを行う（３０５）。デジタルプロセッサ１１７がストーリーボードおよび設定情報を調べ（３０７）、スライドショーの体験パラメータを設定し、続いて連続的な静止画のファイル名を作成する（３０９）。このファイル名は、ＣＤ上で低解像度のビデオコンテントを高解像度の静止画コンテントにリンクするために用いられることになる。ビデオスライドショーは、静止画および音声（所望の場合）を連結して動画フォーマットにし、その結果をＭＰＥＧ−１規格に準拠したデータファイルに保存し（３１１）、静止画の連続的なファイル名をスライドショーに埋め込み（３１３）、ビデオ動画フォーマットからのファイル名によって各「スライド」の持続時間のあいだ高解像度の静止画ファイルにアクセスできるようにすることによって生成される。ディスクのプレ画像は、好ましい実施形態において、静止画のＪＰＥＧファイルを「写真」という名前のフォルダに保存し、このフォルダおよびＭＰＥＧ−１規格のスライドショーをディスクのプレ画像に保存することによって準備される（３１５）。このディスクのプレ画像は次にＣＤレコーダ１１９によって、書き込み可能なＣＤ１２１にデータを焼き付けるために用いられる。
【００２５】
好ましい実施形態の、書き込み可能なＣＤを作成するために必要な装置を図４のブロック図に示す。コンピュータ４０１、例えばHewlett-Packard社から市販されている、Ｐｅｎｔｉｕｍ  ＩＩＩの８００ＭＨｚマイクロプロセッサを６４メガバイトのＲＡＭおよび１０ギガバイトのハードドライブメモリとともに使用するＰａｖｉｌｉｏｎに、選択された上述のアプリケーションプログラムがインストールされる。静止画、ビデオ、音声、および他のコンテントを処理に送ることができるようにするため、１つまたは複数のコンテントソース４０３、４０５がコンピュータの適切な入力ポートに連結される。人間のユーザ／作者は、１つまたは複数のインタフェース４０７（例えばキーボード、ビデオモニタ、およびマウス）を介してコンピュータと対話する。コンピュータ４０１からの出力は書き込み可能なＣＤ仕様のフォーマットで、メディアレコーダ（medium recorder）４０９（好ましい実施形態ではHewlett-Packard社製のＣＤ−Ｗｒｉｔｅｒ  Ｐｌｕｓである）に送られる。
【００２６】
上述のコンテント処理、それに続くデジタル処理、および記録はユーザの自宅で、あるいは外部機能を用いて行うことができ、これらの外部機能は、インターネットサービスプロバイダ、小売店のアクセスポイント（retail service access point）（キオスクベースの処理システム等の物理的な店内プロセッサ）、または携帯用のオーサリングシステムのツールキットから見つけることができる。
【００２７】
ＣＤ１２１等の取外し可能なマルチメディア記憶装置が作成されると、これを他者に、ＣＤに常駐するコンテントの実行（すなわち体験の提示）のために配ることができる。書き込み可能なＣＤを多様な再生装置上で再生できることは本発明の特徴である。図１Ｂに戻って、２つの広く入手可能な消費者向けの再生装置を図示する。ＤＶＤ／ＶＣＤプレーヤ１３１は、消費者に広く用いられるエンタテイメントデバイスとなっている。ＤＶＤディスクの再生用に設計されたほとんどのプレーヤはＶＣＤディスクも再生することができる。これは、ＤＶＤプレーヤが用いるＭＰＥＧ−２規格のデータ圧縮が、ＶＣＤ規格を用いたＣＤに見られるＭＰＥＧ−１規格も包含するためである。ＤＶＤディスクのほとんどのプレーヤは、音声用ＣＤディスクも再生することができるため、リスナーに音声出力を提供する。ＤＶＤ／ＶＣＤプレーヤが、テレビビデオ表示デバイス１３３による表示のためのビデオ出力を提供するのはもちろんである。通常、テレビ表示デバイスは、テレビ放送規格（ＮＴＳＣ（３５０×２４０画素、インタレース（飛越走査））、ＰＡＬ（３５０×５７６画素、ノンインタレース（順次走査））、ＳＥＣＡＭ等）に準拠し、ビデオ画像を低解像度で配信する。より新しい規格、例えばＨＤＴＶは、より幅広の画面フォーマットでより高解像度（例えば、一実施態様では１２８０×１０２４画素でメガピクセルよりも少し多い）を提供するが、未だ市場ではあまり浸透していない。静止画は通常、（従来の家庭環境ではテレビセットである可能性が最も高い）表示部１３７に送られるものとして図示され、ＭＰＥＧ動画規格を用いて「スライドショー」として提示される単一の画像に変換される。画像シーケンスで提示される静止画のスライドショーには画像毎に、作者によって設定された数秒間以上で測定されるドエルタイム（dwell time、滞留時間）があり得る。
【００２８】
例えばピクチャーＣＤ規格に従って格納された静止画は通常、ビデオ表示よりも遥かに高い解像度（例えば１５３６×１２８０画素、約２メガピクセル）を有するが、標準的なテレビ放送規格への変換は、あるいはＨＤＴＶ規格への変換でさえ、視聴者に対して最大解像度を提示しない。
【００２９】
様々な出力をリンクまたは調整して、プレーヤおよび表示デバイスからの可能な視聴者に対する提示を最高の忠実度、解像度、および最高品質の画像表示に最適化するようにできることは、本発明の特徴である。これは動作中、ビデオフォーマットのコンテントを観ている視聴者が、ビデオコンテントの１枚の画像すなわち１フレームを選択して、これを印刷デバイス１３９上で、閲覧中の画像の解像度よりもよい解像度で印刷することを要求することができることを意味する。
【００３０】
一般的なＣＤプレーヤの別の例は、通常パーソナルコンピュータ１４３に付属したＣＤ−ＲＯＭプレーヤ１４１である。かかるＣＤ−ＲＯＭプレーヤの通常機能は、デジタル情報（データ、コンピュータファイル、アプリケーションプログラム等）を後続の動作のためにコンピュータ１４３へ送ることである。改良型のＣＤ−ＲＯＭプレーヤは、ＤＶＤ、ＶＣＤ、静止画（ピクチャーＣＤ規格）フォーマット、および音声ＣＤ情報を読み出してコンピュータ１４３へ出力する機能を含む。ユーザによる対話のための通常のコンピュータデータ／グラフィックスの表示（１４５）に加えて、コンピュータは、コンピュータモニタ表示部１４７にビデオを（通常は従来のテレビセットの解像度よりもよい解像度で）提供することができる。ピクチャーＣＤ規格、および他の規格を用いたデジタルカメラ等の忠実度の高いキャプチャデバイスからの静止画の表示は、従来のテレビセットによって提供されるものよりも優れたものであり得る。適切なアプリケーションプログラムの使用により、格納された画像の最大解像度にアクセスして、コンピュータモニタ上に全体像としてではなく（「ズーム」機能により）部分的に表示することができる。上述のように、本発明の特徴の１つは、ユーザに最適な品質を提示できるようにするための、（異なるフォーマットで）格納された情報のリンクである。その場合、リンクされた画像がビデオ表示部１３３に表示されるか、あるいは印刷デバイス１５１上で印刷される。
【００３１】
本発明を使用したＣＤの再生は、ユーザの望みに応じていくつかの異なる場所で行われ得る。場所の例として、ユーザの居間、ユーザのパーソナルコンピュータがある場所、および小売店のアクセスポイント（例えば量販店の写真現像用キオスク）がある。もちろん、ユーザには複数の再生場所の組み合わせが利用可能であることが考えられる。居間での体験は、テレビセットおよびＤＶＤ／ＶＣＤプレーヤを含むだろうと思われる。好ましい実施形態において、ＤＶＤ／ＶＣＤプレーヤは、ＭＰＥＧ−１規格を用いて符号化したビデオコンテントおよびＭＰＥＧ−１Ａｕｄｉｏレイヤ３（ＭＰ３）規格に適合するように符号化した音声を有するＣＤを読み取って、ＮＴＳＣ規格のビデオ信号をテレビセットに送る。解像度／忠実度は低いが、テレビでの閲覧には極めて許容できるものである（そして多くの場合に放送電波（ブロードキャスト）の受信よりも優れている）。スライドショーのプレゼンテーションは、連続的な写真ショーとして視聴者に提示することができ、各画像は、作者が定めたドエルタイムのあいだ、作者によって独創的に挿入された背景用の音楽トラック、画像から画像へのフェーディングしながらの切り替え、字幕、および他の特徴とともに視聴者に提示される。あるいはスライドショーは、閲覧フォーマットとして提示することもでき、この閲覧フォーマットでは、画像のサムネイル表現が背景に重ねられ、通常の低解像度モードでテレビ上により大きく表示するためにユーザによって選択可能となる。適切なデータ出力ポート（例えばＵＳＢまたはＩＥＥＥ１３９４ポート）を有するＤＶＤ／ＶＣＤプレーヤは、表示画像にリンクされた高解像度の画像データをプリンタに渡す。
【００３２】
おそらくはユーザがよりハイテクに強い必要があるパーソナルコンピュータがある場所には、通常のコンピュータ関連タスクを行うように構成されたＣＤ−ＲＯＭドライブ、ビデオモニタ、およびプリンタを有するコンピュータがあることが考えられる。コンテントの入ったＣＤは、ＣＤ−ＲＯＭドライブによって読み取ることができる。画像は、「写真」データファイルからビデオモニタへ、コンピュータモニタが定める解像度、例えばＶＧＡまたはＳＶＧＡ規格で送られる。ＣＤ−ＲＯＭドライブがＤＶＤ／ＶＣＤのＣＤディスクを再生可能である場合、ＭＰＥＧ−１に適合するように記録されたビデオスライドショーは、（ユーザの要求時に）比較的低解像度の表示のためにビデオモニタに、通常は表示部の小部分で提示されることになる。この場所の好ましい実施形態で用いられる機器のブロック図を図５に示す。コンピュータ５０１（例えばHewlett-Packard社から市販されている、８００ＭＨｚのＰｅｎｔｉｕｍ  ＩＩＩマイクロプロセッサ、６４メガバイトのＲＡＭおよび１０ギガバイトのハードディスクメモリを使用するＰａｖｉｌｉｏｎ）を（ＤＶＤ／ＶＣＤディスクの再生が可能な）ＣＤ−ＲＯＭドライブ５０３（例えばHewlett-Packard社製のＤＶＤドライブ）と、ビデオモニタ５０５（例えば日立製のＳｕｐｅｒＳｃａｎ  Ｅｌｉｔｅ７５１）と、プリンタ５０７（例えばHewlett-Packard社製のＤｅｓｋｊｅｔ９７０Ｃｘｉ）とに結合する。１つまたは複数のインタフェース５０９装置（例えばキーボードおよびマウス）、および音声再生装置５１１もまた、コンピュータ５０１に結合される。ＣＤ−ＲＯＭドライブ５０３が所望のＣＤからスライドショーのビデオコンテントを再生する場合、ＭＰＥＧ−１規格のコンテントが読み出されて、このコンテントが連続的なビデオとしてビデオモニタ５０５に、ＶＧＡ規格の写真解像度で送られる。好ましい実施形態において、ＭＰＥＧ−１の連続的なビデオに符号化されるのは、スライドショーにおいて用いられる画像の高解像度データファイルの識別の表現である。同様に、ＭＰ３ファイルから音声を読み出して音声装置に送ることが可能でありながら、ＭＰ３音声にリンクする高忠実度の未圧縮または可逆圧縮データファイルが存在する。閲覧者は、好ましい実施形態ではマウスクリックによって、スライドショーから特定の画像を選択することができ、高解像度のデータファイルに格納された関連画像にアクセスしてプリンタに送り、より高品質の画像を印刷することができる。ハードウェアの同様の相互接続を小売店のアクセスポイントに用いて、印刷画像の配達、または画像を選択した異なる順序で有するＣＤの配達が行われる。
【００３３】
異なる規格に従って格納されたコンテントをリンクして、ユーザが１つの出力デバイス上で閲覧または知覚している関連コンテントが低品質の規格からのものであっても、高品質のコンテントをユーザの別の出力装置に送るようにすることは、本発明の特徴である。好ましい実施形態において、画像および付随するサウンドトラックのビデオスライドショーは、ＭＰＥＧ−１規格に従ってビデオスライドショーが刻み込まれたＣＤから復元される。各画像は作者が、次の画像に切り替える前に選択された期間のあいだ閲覧されるように選択した。遷移のタイプ、背景、および音声の選択はとりわけ、同様に作者が選択し、作者のデジタルプロセッサ１１７により統合してＭＰＥＧ−１規格にした。画像はまた、高解像度のＪＰＥＧ規格に従ってデータファイルでＣＤに格納される。好ましい実施形態において、ＪＰＥＧ規格の画像は「写真」という名前のフォルダに、各画像ファイルが連続したＩＭＧ０００１．ｊｐｇ、ＩＭＧ０００２．ｊｐｇ等の名前で格納される。同様に、各音声セグメントは「音声」という名前のフォルダに、各音声ファイルが連続したＡＵＤ０００１．ｗａｖ、ＡＵＤ０００２．ｗａｖ等の名前で格納される。そして、関連する文書およびテキストが「その他」という名前のフォルダに、連続したファイル名ＯＴＨ０００１．ｔｘｔ、ＯＴＨ０００２．ｔｘｔ等で格納される。（ＭＰＥＧ−１規格の格納コンテントから取り込んだ）スライドショーをビデオモニタ上で、ＮＴＳＣテレビをエミュレートして再生する場合、ＡＳＣＩＩ文字セットのファイル名を表示画像の一部から、例えば写真の上端の１ラインの一部分で復元する。特定ファイルの名前、例えばＩＭＧ０００２．ｊｐｇは、表示画像中の画素の１番目の行においてＡＳＣＩＩテキストで符号化される。よってこの名前は、コンピュータ５０１のプロセッサに利用可能となる。２番目の画像がビデオモニタ上に表示されている間（ＮＴＳＣテレビフォーマット、．ｍｐｇスライドショーファイルのＭＰＥＧ−１規格の記憶）に視聴者がマウスボタンをクリックすると、コンピュータは、利用可能なＡＳＣＩＩで書かれたＩＭＧ０００２．ｊｐｇの名前を用いて、画像番号２の高解像度のＪＰＥＧ画像ファイルにアクセスする。このＪＰＥＧファイルは次に、場合によっては自動写真フォーマッタ（automatic picture formatter）で修正されてプリンタに送られ、ユーザがモニタ上で閲覧しているのがＭＰＥＧ−１の低解像度画像であっても、２番目の画像の高解像度印刷が行われる。より改良された実施態様は、ＪＰＥＧファイルを画像処理アプリケーションソフトウェアプログラムに提供し、画像の印刷前にユーザによる画像改善が行われる。同様のＡＳＣＩＩ文字が、より忠実度の高い音声ファイルおよび関連テキストファイルにアクセスしてユーザに提示するために用いられる。他のリンク技法もまた、コンテント規格間のつながりを効果的に提供することに留意されたい。一例として、ＭＰＥＧビデオは、ルックアップテーブルによって高解像度の画像ファイルにリンクすることができる実行時間（run time）を提供し、このルックアップテーブルは、実行時間を高解像度の画像ファイルに関連付ける。別の例として、高解像度ファイルのアイデ���ティティ（identity）は、字幕用のテキストの復元と同様の方法で、ＮＴＳＣ規格のテレビ信号の垂直帰線消去期間のフィールド２のライン２１から復元することができる。ＥＩＡ７６６の拡張データサービス（Extended Data Services）規格を参照されたい。特定ファイルの名前、例えばＩＭＧ０００２．ｊｐｇは、ビデオスライドショーの２番目の画像が表示されている時間中にＡＳＣＩＩで、垂直帰線消去期間に送信される。よってこのファイル名は、コンピュータ５０１のプロセッサに利用可能となる。２番目の画像がビデオモニタ上に表示されている間（ＮＴＳＣテレビフォーマット、ｍｐｇスライドショーファイルのＭＰＥＧ−１規格での格納）に視聴者がマウスボタンをクリックすると、コンピュータは、垂直帰線消去期間からのＡＳＣＩＩで書かれたＩＭＧ０００２．ｊｐｇの名前を用いて、画像番号２の高解像度のＪＰＥＧ画像ファイルにアクセスする。このＪＰＥＧファイルは次に、場合によっては自動写真フォーマッタで修正されて、プリンタに送られ、ユーザがモニタ上で閲覧しているのがＭＰＥＧ−１の低解像度画像であっても、２番目の画像の高解像度印刷が行われる。この高解像度ファイルの名前はまた、画像全体にステガノグラフィで符号化されて、コンピュータプロセッサによって後に復元され得る。
【００３４】
消費者が必要とするいくつかのシナリオを示すことは、本発明が人間の楽しみおよびコミュニケーションをどのように改良できるかを理解する上で興味深いことだろう。Janeはデジタルカメラを購入して多数の写真を撮影する。彼女はカメラを角のドラッグストアに持参し、そこにある写真キオスクの入力ポートにカメラをつなぎ、２組の従来の写真プリントと、本発明を使用したＣＤとを依頼する。彼女は１時間後に戻ってきて、プリントとディスクを受け取る。プリントは、通常の方式で閲覧および共有される。彼女はＣＤを家に持ち帰り、ＤＶＤプレーヤに入れ、テレビをつけ、写真のスライドショーを閲覧し、その後リモコンを用いて全てのデジタル写真のサムネイルおよび全画面画像を閲覧する。次に彼女は、ＣＤをテレビセットの脇の棚に置く。Janeは従来のフィルムカメラも所有しており、使い続けている。彼女はフィルムカメラを用いて４本のフィルムを撮影し、それらを現像のために角のドラックストアへ持参する。彼女はプリントのほかに、本発明を使用したＣＤも依頼する。ドラッグストアで用いられる写真現像システムは彼女の写真をデジタル走査し、本発明を使用したＣＤにデジタルコンテントを書き込む。
【００３５】
Janeは、休暇の写真のうち１枚を８×１０に拡大したい。彼女はその旅行の（本発明を使用した）ＣＤを選択し、ＤＶＤプレーヤに入れ、所望の写真を見つけるまでコンテントを閲覧する。画面上に提示された写真の番号を書き留め、ディスクを角のドラックストアに持参し、特定の写真の８×１０での拡大を依頼する。ＣＤが戻ってきた後で、Joey（Janeの息子）がＣＤを棚から取り出し、彼のパーソナルコンピュータのＣＤ−ＲＯＭドライブに挿入し、スライドショーを閲覧し、何枚かの写真を選択し、コンピュータに接続された従来のプリンタで印刷する。Joeyはまた、写真のうち１枚を専門家により８×１０に拡大してもらいたい。彼はＣＤを近所のドラッグストアに持参し、コダックのＰｉｃｔｕｒｅＭａｋｅｒ（商標）キオスクのＣＤ−ＲＯＭドライブに挿入し、その写真を選択して８×１０のプリントを作成する。
【００３６】
Johnは、特定の量販店の写真現像サービスの得意客である。彼はこのサービスを用いて、彼の全ての写真と本発明を使用したＣＤとを得ている。Johnは、クリスマスのニュースレターに用いる特定の写真を探している。彼はその量販店のウェブサイトの写真センターにある自分のアカウントにログオンし、自分が長年にわたって撮影した大量の写真の目録を閲覧する。このウェブサイトは、洗練された検索手法を提供しており、彼が娘のJulieの全ての写真を検索することを可能にしている。彼は相応しい写真を見つけ、それが彼のコレクション中の、１９９９年７月１２日に現像した「追加・雑多な写真（More Misc Photos）」というタイトルの特定のＣＤに収められていることを見出す。彼はＣＤを捜し出し、コンピュータのＣＤ−ＲＯＭドライブに挿入し、その写真をニュースレターにコピーする。
【００３７】
Billもまた、特定量販店の写真現像サービスを利用し、彼の全ての写真とＣＤをそこで得ている得意客である。Billは親戚に、従来のクリスマスのニュースレター以上のもの、すなわち長年にわたって撮影した多数の写真をまとめたものを送りたいと思っている。彼は量販店のウェブサイトの写真センターにある自分のアカウントにログオンし、自分が撮影した写真を閲覧する。彼は自分のディスクに、写真とともに背景用の音楽および他の面白い製作機能を選択し、自分の家族である受取人の郵送先名簿を入力する。サービスは、しかるべき料金で、彼のディスクを製作して郵送先名簿に送付する。
【００３８】
Samはポケットに収まる低価格のデジタルカメラを購入し、１メガピクセルの静止画を撮影し、８０秒のＶＨＳ品質のビデオおよび音声クリップを取り込む。Samはカメラを家族会に持って行く。その日、彼は１００ＭＢの静止画をビデオクリップと混ぜて取り込む。彼は帰宅途中、全ての写真のプリントと、本発明を使用したＣＤとを得るために角のドラッグストアに立ち寄る。彼は自宅で、ＣＤをＤＶＤプレーヤに挿入し、家族と写真およびビデオクリップを観る。Samは後に、その家族会のＣＤをコンピュータのＣＤ−ＲＯＭドライブに入れる。彼は写真およびビデオクリップのいくつかを選択し、あるディレクトリに自分が決めた順序で配置する。彼は、使用料無料の音楽の使用または支払済み使用料による音楽の使用を認めるソースから音楽トラックを取り込み、所望の選集を選択する。彼はタイトルとして「Smith家の家族会、２００１年」と入力し、ＣＤ−ＲＷディスクを記録デバイスに挿入し、「作成」ボタンをクリックし、５分後にディスクが出来上がる。彼はこのディスクをテレビのところへ持って行き、ＤＶＤプレーヤで観る。彼はこのディスクが気に入ったので、パーソナルコンピュータのところに戻り、彼の親戚用にあと６枚のコピーを焼き付ける。
【００３９】
上述のシナリオの各々において、ユーザは、個人の好みのコンテントを比較的永久的で持ち運び可能な記憶媒体に、コンテントが実質的にどんな一般的消費者向け再生デバイス上でも、かつ利用可能な最高の解像度および忠実度で復元されることを可能にするフォーマットで収録したい。各タイプのコンテントに関連する規格に従って格納された様々なタイプのコンテント間のリンクが、可能な最高品質でのコンテントの提示を可能にする。
【図面の簡単な説明】
【００４０】
【図１Ａ】本発明が有用である環境の機能ブロック図である。
【図１Ｂ】本発明が有用である環境の機能ブロック図である。
【図２】本発明を使用することができる機能プロセス図である。
【図３】本発明で使用することができる、スライドショー動画を生成する方法のフローチャートである。
【図４】本発明を使用することができる装置のブロック図である。
【図５】本発明を使用することができる装置のブロック図である。
【符号の説明】
【００４１】
１０３  静止画プロセッサ
１１７  デジタルプロセッサ
１１９  ＣＤレコーダ
１２１  ＣＤ
１３１  ＤＶＤ／ＶＣＤプレーヤ
１４１  ＣＤ−ＲＯＭプレーヤ
１３３  ビデオ表示部
１３７  表示部
１３９、１５１  印刷デバイス
１４５  コンピュータデータ／グラフィックスの表示
１４７  コンピュータモニタ表示部
３０１  静止画を入力
３０５  ＪＰＥＧ規格に変換
３１３  静止画のファイル名をスライドショーデータファイルに埋込
３１５  静止画のＪＰＥＧファイルを「写真」フォルダに、そしてＭＰＥＧ−１スライドショーをディスクのプレ画像として準備
３１７  ＶＣＤ規格に基づいてデータをＣＤに記録
【図１Ａ】
2004531119.tif 000003
【図１Ｂ】
2004531119.tif 000004
【図２】
2004531119.tif 000005
【図３】
2004531119.tif 000006
【図４】
2004531119.tif 000007
【図５】
2004531119.tif 000008
【国際公開パンフレット】
2004531119.tif 000009
2004531119.tif 000010
2004531119.tif 000011
2004531119.tif 000012
2004531119.tif 000013
2004531119.tif 000014
2004531119.tif 000015
2004531119.tif 000016
2004531119.tif 000017
2004531119.tif 000018
2004531119.tif 000019
2004531119.tif 000020
2004531119.tif 000021
2004531119.tif 000022
2004531119.tif 000023
2004531119.tif 000024
2004531119.tif 000025
2004531119.tif 000026
2004531119.tif 000027
2004531119.tif 000028
2004531119.tif 000029
2004531119.tif 000030
2004531119.tif 000031
2004531119.tif 000032
2004531119.tif 000033
2004531119.tif 000034
2004531119.tif 000035
2004531119.tif 000036
2004531119.tif 000037
2004531119.tif 000038
【国際調査報告】
2004531119.tif 000039